(57)【要約】【課題】認証端末装置等の電子機器をねじ等の固着部材により固着して使用し、または認証端末装置等の内部を保護するために固着部材で密封して使用する場合において、認証端末装置等自体が盗難にあい、または認証端末装置等が分解されてデータが盗まれ内部が損傷を受けることを防止する、簡潔な構成からなる固着部材保護装置を提供する。【解決手段】固着部材の頭部を保護する保護カバーを設け、保護カバー表面は通常の固着部材工具が係合する部分を持たず、保護カバーにのみ係合する保護カバー専用の着脱工具を設けて、他者による固着部材への直接のアクセスを防止する。【選択図】図５
2010061597.tif 000002
【特許請求の範囲】
【請求項１】
複数の被固定部材を互いに着脱自在に固着する固着部材の頭部を覆い、前記固着部材への直接アクセスを制限する保護カバーと、前記保護カバーに係合可能な保護カバー用の着脱工具とを有することを特徴とする固着部材保護装置。
【請求項２】
請求項１に記載の固着部材保護装置において、前記保護カバーにのみ選択的に係合可能な選択手段を有する保護カバー用の着脱工具とを有することを特徴とする固着部材保護装置。
【請求項３】
請求項１または２に記載の固着部材保護装置において、前記保護カバーは前記被固定部材に設けた固着部材の取付孔に弾性的に係合することを特徴とする固着部材保護装置。
【請求項４】
請求項３に記載の固着部材保護装置において、前記保護カバーは開口部外周に係合部を有し、前記被固定部材の取付孔底部に段差を有し、前記保護カバーの取り付け孔への挿入時に前記段差と係合部が係合することを特徴とする固着部材保護装置。
【請求項５】
請求項１乃至４のいずれか１項に記載の固着部材保護装置において、前記保護カバーは外周に固着部材取付側に広がるテーパ面を有し、前記着脱工具は保護カバーの前記テーパ面と係合するテーパ孔を有することを特徴とする固着部材保護装置。
【請求項６】
請求項５に記載の固着部材保護装置において、前記保護カバーは外周に軸方向にスリットを有することを特徴とする固着部材保護装置。
【請求項７】
請求項６に記載の固着部材保護装置において、前記保護カバーは前記着脱工具のテーパ孔に収納されたときに、前記スリットにおいて半径方向に直径が圧縮されることを特徴とする固着部材保護装置。
【請求項８】
請求項５乃至７のいずれか１項に記載の固着部材保護装置において、前記保護カバーは前記着脱工具のテーパ孔に収納されたときに、摩擦力によって保護カバーの前記テーパ面とテーパ孔が係合することを特徴とする固着部材保護装置。
【請求項９】
請求項１に記載の固着部材保護装置において、前記保護カバーは固着部材に弾性的に係合することを特徴とする固着部材保護装置。
【請求項１０】
請求項１に記載の固着部材保護装置において、前記選択手段は前記保護カバーと着脱工具のいずれか一方に設けられた係合部と、他方に設けられた前記係合部と係合する被係合部からなることを特徴とする固着部材保護装置。
【請求項１１】
請求項１０に記載の固着部材保護装置において、前記係合部と被係合部の少なくとも一方が溝からなり、他方が前記溝と係合する突起部からなることを特徴とする固着部材保護装置。
【請求項１２】
請求項１乃至１１のいずれか１項に記載の固着部材保護装置を用いて着脱自在または内部分解自在に固着された認証端末装置。
【発明の詳細な説明】
【技術分野】
【０００１】
本発明は、ねじ等の着脱自在な固着部材の固着部材保護装置およびこれを用いた認証端末装置に関するものである。
【背景技術】
【０００２】
従来、例えばセキュリティシステムなどにおいては、高価な認証端末装置、制御装置等を保護エリアの壁面等に、ねじ等の着脱自在な固着部材により固着してシステムと接続して使用する場合がある。また認証端末装置等の内部を保護するために固着部材で密封して使用している。その際、認証端末装置等自体が盗難にあい、または認証端末装置等が分解されてデータが盗まれ、内部が損傷を受けるケースがある。これを防止するために、盗難時に固着部材へのアクセスを検出して事前に機密データ等を消去して盗難を防ぐ構成が知られている（例えば特許文献１参照）。
しかしながら、これらは構成が高価になるばかりでなく、装置自体の盗難や損傷を防止することが難しい。
【０００３】
【特許文献１】特開平２００４−１７１２４６号公報
【発明の開示】
【発明が解決しようとする課題】
【０００４】
本発明は、上記の問題を解決し、簡潔な構成で上述した問題を解決することのできる新規な固着部材保護装置を提供するものである。
【課題を解決するための手段】
【０００５】
上記目的を達成するため、本発明は、複数の被固定部材を互いに着脱自在に固着する固着部材の頭部を覆い、前記固着部材への直接アクセスを制限する保護カバーと、前記保護カバーに係合可能な保護カバー専用の着脱工具とを有することを特徴とする。
【０００６】
また、前記保護カバーにのみ選択的に係合可能な選択手段を有する保護カバー用の着脱工具を有することを特徴とする。
【０００７】
また、保護カバーは前記被固定部材に設けた固着部材の取付孔に弾性的に係合することを特徴とする。保護カバーは開口部外周に係合部を有し、前記被固定部材の取付孔底部に段差を有し、前記保護カバーの取り付け孔への挿入時に前記段差と係合部が係合することを特徴とする。
【０００８】
また、前記保護カバーは外周に固着部材取付側に広がるテーパ面を有し、前記着脱工具は保護カバーの前記テーパ面と係合するテーパ孔を有することを特徴とする。前記保護カバーは外周に軸方向にスリットを有し、保護カバーは着脱工具のテーパ孔に収納されたときに、スリットを介して半径方向に直径が圧縮されることを特徴とする。保護カバーは着脱工具のテーパ孔に収納されたときに、摩擦力によって保護カバーの前記テーパ面とテーパ孔が係合することを特徴とする。
【０００９】
また、前記保護カバーは固着部材に弾性的に係合することを特徴とする。
【００１０】
また、前記選択手段は前記保護カバーと着脱工具のいずれか一方に設けられた係合部と、他方に設けられた前記係合部と係合する被係合部からなることを特徴とする。係合部と被係合部の少なくとも一方が溝からなり、他方が前記溝と係合する突起部からなることを特徴とする。
【００１１】
さらに、本発明の固着部材保護装置を用いて、認証端末装置を着脱自在に固着し、または内部分解自在に固着することを特徴とする。
【発明の効果】
【００１２】
上記の構成により、本発明は従来の安価な固着部材を用いて、簡潔な構成により高価な認証端末装置の盗難や分解によるデータ盗用、機器の損傷の可能性を大幅に低減することができる。
【発明を実施するための最良の形態】
【００１３】
以下に本発明の実施例を図面について説明する。
【００１４】
図１は、本発明を適用する装置の使用状態を示す側面図である。図において１は認証端末装置、２は認証端末装置１に設けられた取付スイッチである。３は認証端末装置１を壁面５に固定する際に壁面に取り付けられる固定フレーム、４は固定フレーム３に形成された係合部であり、前記取付スイッチ２と係合して認証端末装置１を作動状態に切り替える。
【００１５】
図２は、認証端末装置１の内部構成を示すブロック図である。認証端末装置１は、上位の認証システムに情報を入出力するＩ/Ｏユニット６と、ＣＰＵ８、ファームウェア９、メモリ１０、バックアップ電源１１を有する制御回路７と、指静脈センサ１２、表示部１３、テンキー等の入力部１４を有する。
【００１６】
図３は本発明の実施例を示す分解斜視図である。図３において、認証端末装置１は固定フレーム３にネジ１６からなる固着部材により着脱自在に固着される。１７は認証端末装置１に形成されネジ１６を案内する取付孔である。１８は取付孔１７内部でネジ１６をカバーする保護カバーである。１９は保護カバー１８を取付孔１７に着脱する着脱工具である。２０は取付孔１７を覆うカバーである。ネジ１６は通常のマイナスネジ、プラスネジ、六角ネジ等が用いられ、これに対応するドライバー工具で着脱される。
【００１７】
図４は、保護カバー１８の取付孔１７への取付状態を示す縦断面図である。保護カバー１８はＡＢＳ樹脂等から形成されたカップ状部材からなり、先端にスリット２２と係合部２３を持ち、側面にテーパ面２４を形成している。テーパ面２４の一部には軸方向に一対の突起部２５を形成している。取付孔１７の先端には保護カバー１８の係合部２３と係合する段差２１を有する。ネジ１６を固着した後、保護カバー１８を取付孔１７に挿入すると、保護カバー１８先端の係合部２３が段差２１と係合し、ネジ１６を外部アクセスから保護する。保護カバー１８はその表面に係合溝等を持たず、ネジ１６用のドライバー工具で取り外すことはできない。
【００１８】
図５の分解斜視図において、着脱工具１９は、前記保護カバー１８の突起部２５と係合する一対の溝２６を有するヘッド２７を備えている。図６の縦断面図において、着脱工具１９のヘッド２７は内部に前記保護カバー１８と係合するテーパ孔２８を形成している。
【００１９】
ここで、図７の斜視図、および図８の縦断面図から明らかなように、カバー２０を外して、着脱工具１９を取付孔１７に挿入し保護カバー１８に係合させると、保護カバー１８の突起部２５が着脱工具１９の溝２６に係合する。さらに着脱工具１９を取付孔１７に押し込むと、保護カバー１８はテーパ孔２８に深く係合することによりスリット２２部分で内側に撓む。次いで着脱工具１９を認証端末装置１の取付孔１７から引き抜くと、保護カバー１８はテーパ孔２８との摩擦力により着脱工具１９とともに外部に引き出され、ネジ１６の頭部が外部からアクセス可能となる。これによりドライバ等でネジ１６を取り外すことができる。
【００２０】
図９の平面図に示すように、保護カバー１８と着脱工具１９に突起部２５と溝２６を設けたことにより、特別に用意された専用の着脱工具１９のみが、保護カバー１８を取り外すことができる。この選択手段は、突起部２５と溝２６の他に、鍵と鍵穴の機能を持つ構造であればどのようなものでも用いることができる。
【００２１】
また、認証端末装置等の内部の保守点検、またはファームウェアのバージョンアップ等で装置を分解するため、蓋体を開閉自在に固着する必要が生じる。本発明は、認証端末装置等自体にカバーや蓋体を開閉自在に固着する場合にも、同様に利用することができる。
【図面の簡単な説明】
【００２２】
【図１】本発明を適用した認証端末装置の使用状態を示す側面図である。
【図２】本発明を適用した認証端末装置のブロック図である。
【図３】本発明の実施例を示す分解斜視図である。
【図４】本発明の実施例で保護カバーの取付状態を示す縦断面図である。
【図５】本発明の実施例の分解斜視図である。
【図６】本発明の実施例の縦断面図である。
【図７】本発明の実施例の斜視図である。
【図８】本発明の実施例の縦断面図である。
【図９】本発明の実施例の平面図である。
【符号の説明】
【００２３】
１：認証端末装置、１６：ネジ、１７：取付孔、１８：保護カバー、１９：着脱工具、
２１：段差、２２：スリット、２３：係合部、２４：テーパ面、２５：突起部、２６：溝、２７：ヘッド、２８：テーパ孔
【図１】
2010061597.tif 000003
【図２】
2010061597.tif 000004
【図３】
2010061597.tif 000005
【図４】
2010061597.tif 000006
【図５】
2010061597.tif 000007
【図６】
2010061597.tif 000008
【図７】
2010061597.tif 000009
【図８】
2010061597.tif 000010
【図９】
2010061597.tif 000011